(57)【要約】
【課題】設置作業が容易であり結露防止効果の優れた出窓用天板とする。
【解決手段】出窓の天板上面となる上表面１３を有する天板本体２と、天板本体下面２８の複数箇所から突出するように設けた天板レベル調整用のジャッキ３とからなる。天板本体が、化粧板で形成した上面板１０と、その上面板の下面に貼り合わせたウレタンホーム層１１と、そのウレタンホーム層の下面に貼り合わせた合板で形成した下面板１２とからなる。ジャッキ３が、天板本体に設けた雌ねじ部１５と、この雌ねじに螺合し天板本体下面からの突出量を調節可能な雄ねじ１６とで構成されている。コンクリートからなる出窓の天板設置面に出窓用天板がジャッキを介しレベル調整して設置され、天板設置面と下面板との間にウレタンホームを充填してなる。
【選択図】図２
0003100275.tif 000002
【実用新案登録請求の範囲】
【請求項１】
　出窓の天板上面となる上表面を有する天板本体と、前記天板本体下面の複数箇所から突出するように設けた天板レベル調整用のジャッキとからなる出窓用天板。
【請求項２】
　前記天板本体が、化粧板で形成した上面板と、その上面板の下面に貼り合わ　せたウレタンホーム層と、そのウレタンホーム層の下面に貼り合わせた合板で形成した下面板とからなることを特徴とする請求項１に記載の出窓用天板。
【請求項３】
　前記ジャッキが、前記天板本体に設けた雌ねじ部と、この雌ねじに螺合し前記天板本体下面からの突出量を調節可能な雄ねじとで構成されていることを特徴とする請求項１、又は請求項２に記載の出窓用天板。
【請求項４】
　コンクリートからなる出窓の天板設置面に前記出窓用天板が前記ジャッキを介しレベル調整して設置され、前記天板設置面と前記下面板との間にウレタンホームを充填してなることを特徴とする請求項１、請求項２、又は請求項３に記載の出窓用天板。
【考案の詳細な説明】
【技術分野】
【０００１】
　本発明は、建築物の出窓の形成に用いる出窓用天板に関する。
【背景技術】
【０００２】
　出窓は、多くは外界に面して設けられるために、内外の温度差のために結露が問題になることが多い。このために結露を防止する工夫がなされている。この結露防止には、出窓の空間を囲んでいる上下の壁面構成部に断熱材層を設けるのが一般的である。例えば、出窓のテーブル構成部の本体がコンクリートで構成されている場合、出窓開口の下縁に続く天板（又はテーブル板）を設置する場合に、コンクリート面にウレタンホームを吹付けておいてその上に化粧版からなる天板を設置することが行なわれている。また、出窓空間の上下左右に壁を有する構成のものでは、全内周面に調湿建材として特殊なタイル状の建材を貼り付ける構成のものがある。また、出窓全体が別の部材を組み付けて形成されるものでは、断熱スペーサを介してテーブル板を支持する構成のものがある。
【特許文献１】特開２００１−０３２６３４号公報
【特許文献２】特開平１１−１９０１７２号公報
【考案の開示】
【考案が解決しようとする課題】
【０００３】
　本考案が解決しようとする問題点は、出窓の天板を設置する設置面がコンクリート面であるような場合に、コンクリート面にウレタンホームを吹付けてその上に天板を設置する際に、天板を水平に設置するためにはウレタンホーム上面の高さを均一にする必要があるから、高い部分を削り取るなどの作業が面倒であり、作業性が悪い点である。本考案は、設置作業が容易であり結露防止効果の優れた出窓用天板を提供することを目的とする。
【課題を解決するための手段】
【０００４】
　本考案の出窓用天板は、出窓の天板上面となる上表面を有する天板本体と、前記天板本体下面の複数箇所から突出するように設けた天板レベル調整用のジャッキとからなることを特徴とする（第１の考案）。この手段によれば、天板設置面がコンクリートである場合水平でないことが多いが、ジャッキを用いて簡単に水平調整ができるので、天板設置作業が極めて容易となる。ジャッキは複数箇所で点状に天板本体を天板設置面に支持しているが、その状態で天板本体と天板設置面との間に未発泡ウレタン材を注入して発泡固化させウレタンホーム層とすることができ、このようにすれば天板本体は断熱層を備えていないものであってもレベル調整された状態のままでウレタンホームの断熱材層を施工され、結露が防止される構成となる。
【０００５】
　前記天板本体は、化粧板で形成した上面板と、その上面板の下面に貼り合わせたウレタンホーム層と、そのウレタンホーム層の下面に貼り合わせた合板で形成した下面板とからなる構成（第２の考案）とするのがよい。この構成では予め天板に設けられているウレタンホーム層が断熱材層として作用するから、天板本体と天板設置面との間の空間に充填する充填材が必ずしも断熱材でなくても、天板上面に結露することはない。
【０００６】
　また、前記ジャッキは、前記天板本体に設けた雌ねじ部と、この雌ねじに螺合し前記天板本体下面からの突出量を調節可能な雄ねじとで構成されているもの（第３の考案）とするのがよい。この構成では単純なねじによるものであるから低コストで実施でき、雄ねじを回転させる簡単な操作によって天板本体のレベル調整ができるから作業性がよい。
【０００７】
　また、コンクリートからなる出窓の天板設置面に前記出窓用天板本体が前記ジャッキを介しレベル調整して設置され、前記天板設置面と前記天板本体下面との間にウレタンホームを充填してなる構成（第４の考案）とするのがよい。この構成では施工が容易で確実な結露防止が可能となる。
【考案の効果】
【０００８】
　第１の考案は、天板設置作業が極めて容易であり、天板本体と天板設置面との間にウレタンホーム層を施工すれば確実な結露防止が可能である効果を奏する。
【０００９】
　第２の考案は、天板本体に設けられているウレタンホーム層の断熱作用により、天板上面に結露しない効果を奏する。
【００１０】
　第３の考案は、低コストで実施でき、作業性がよい効果を奏する。
【００１１】
　第４の考案は、施工が容易で確実な結露防止が可能となる効果を奏する。
【考案を実施するための最良の形態】
【００１２】
　本考案の実施形態を、図１〜図３を用いて説明する。この出窓用天板１は、天板本体２と、天板レベル調整用のジャッキ３とで構成されている。天板本体２は、図１（ａ）、図３（ａ）に示すように、上面板１０と、ウレタンホーム層１１と、下面板１２とからなる。上面板１０は、例えば木材を接合して一体の板状体に形成したもので、出窓の天板上面となる上表面１３を有し、上面板１０の室内側に位置せしめられる縁部には縁部材１４を上面板と一体に接合して設けてあり、室内側の縁部表面及び上表面１３が化粧面に形成されている。ウレタンホーム層１１は、予め板状に形成した比較的硬質のものを、上面板１０の下面に貼り合わせてある。下面板１２は、合板で形成したものを前記ウレタンホーム層１１の下面に貼り合わせてある。
【００１３】
　ジャッキ３は、図３（ａ）、（ｂ）に示すように、前記天板本体２に設けた雌ねじ部１５と、その雌ねじに螺合し天板本体下面２２からの突出量を調節可能な雄ねじ１６とで構成されている。例えば、雌ねじ部１５は六角ナット１７に座金状部１８を溶接し、座金状部１８に木ねじ挿通孔を穿設してあり、天板本体２の下面板１２及びウレタンホーム層１１にナット１７の嵌入する穴１９を凹設し、その穴１９にナット１７を嵌入させて、木ねじ２０により座金状部１８を天板本体２に固定してある。雄ねじ１６は六角頭付きボルトであり、ナット１７に螺合している。
【００１４】
　この出窓用天板１は、例えば、天板設置面２１がコンクリートで構成されている場合に適用できる。この場合、図２に示すように、窓枠２２の設置に合わせて天板本体の上表面１３が適切な高さ位置となるようにジャッキ３で高さを調節して、つまり雄ねじ１６の突出量を調節して天板本体の上表面１３の高さ位置を決め、水平に調節してその水平状態を保持し、次に天板本体２の下面２８と天板設置面２１との間にウレタンホーム材を注入して発泡、固化させ、断熱材層２３を施工する。これにより出窓用天板１の設置が終了する。なお、出窓用天板１の室内側縁部下側壁面は、一般的には化粧版２４が断熱材層２５を介して設置される。その場合、化粧版２４を適切な空間を隔ててコンクリート壁面２６に接着剤２７で固定し、空間にウレタンホーム材を注入し、発泡、固化させて断熱材層２５とする。
【００１５】
　このようにして構成した出窓用天板１を用いて施工した出窓の天板は、上面が水平な状態で、出窓用天板１と天板設置面２１との間にウレタンホームが充填状態に施工されるから、水平状態に確実にしっかりと固定されて仕上がり状態がよく、断熱材層２３を施工されているから、天板上面に結露することはない。しかもその施工において、天板の水平調整をジャッキ３の操作で簡単に行なうことができるから、従来のように断熱材として最初に吹付け形成したウレタンホーム層を平坦に且つ水平に調整する作業が省略され、また空隙にウレタンホーム材を注入して発泡、固化させることになるから、作業能率が向上し、作業性が格段と向上する。また、天板本体２が上面板１０、ウレタンホーム層１１、下面板１２からなる構成であるから、ウレタンホーム層１１の存在により十分な強度を有するものとしても軽量に形成でき、施工時の取り扱いが容易である点でも作業性がよい。また、ウレタンホーム層１１は断熱性に優れているので、より結露防止作用が大きい。
【００１６】
　実施形態として、出窓用天板１がウレタンホーム層１１を有するものとして説明したが、場合によってはそのウレタンホーム層１１を省略しあるいは置き換えた構成としてもよい。例えば、ウレタンホーム層１１に代えて、大部分が空洞になる補強枠材とし、あるいは別にチップボードとしてもよい。
【産業上の利用可能性】
【００１７】
　建築物の出窓の天板を施工する際に、天板設置面が必ずしも水平でないコンクリート面であるような場合に利用する。
【図面の簡単な説明】
【００１８】
【図１】本考案の一実施形態を示し、（ａ）は縦断側面図（（ｂ）のＡ−Ａ断面図）、（ｂ）は部分省略底面図である。
【図２】同実施形態の設置状態を示す出窓の概略縦断側面図である。
【図３】同実施形態の部分拡大図であり、（ａ）は図１（ａ）の部分拡大図（（ｂ）のＢ−Ｂ断面図）、（ｂ）は図１（ｂ）の部分拡大図である。
【符号の説明】
【００１９】
　１　　　出窓用天板
　２　　　天板本体
　３　　　ジャッキ
　１０　　上面板
　１１　　ウレタンホーム層
　１２　　下面板
　１３　　上表面
　１４　　縁部材
　１５　　雌ねじ部
　１６　　雄ねじ
　１７　　六角ナット
　１８　　座金状部
　１９　　穴
　２０　　木ねじ
　２１　　天板設置面
　２２　　窓枠
　２３　　断熱材層
　２４　　化粧板
　２５　　断熱材層
　２６　　コンクリート壁面
　２７　　接着剤
　２８　　下面
【図１】
0003100275.tif 000003
【図２】
0003100275.tif 000004
【図３】
0003100275.tif 000005